(57)【要約】【課題】部品点数を増加させること無く荷扱い・保管時の外箱の破損を防ぎ、被梱包物の保護性および組み立て作業性に優れた梱包装置を提供することこと。【解決手段】四辺を折り曲げて形成したトレイ状の底板２に収めて被梱包物１の下部を支持する下部緩衝材３と、被梱包物１の上部を支持する上部緩衝材５を左右に配置し、上部の開口部の四辺に内フラップ６と外フラップ７を備え下部を開放した外箱８を被せ、外側にバンド１２を巻き付けて被梱包物１を支持する梱包装置において、外箱８を形成する接合部の継ぎしろ９の先端を延長し中間壁１０をかえして、相対する側壁１１まで延長して接合し、被梱包物１と外箱８の側壁の間に空間部１３を形成した梱包装置。【選択図】図１
2008030753.tif 000002
【特許請求の範囲】
【請求項１】
四辺を折り曲げて形成したトレイ状の底板と、前記底板に被梱包物の下部を収め、下部を開放した外箱を被せ、前記底板と前記外箱の外側にバンドを巻き付けて前記被梱包物を支持する梱包装置であって、前記外箱胴部の接合部の継ぎしろの先端を前記外箱内部に延長し、中間壁を介して相対する前記外箱側壁まで延長して接合し、前記被梱包物と前記外箱の側壁の間に空間部を形成したことを特徴とする梱包装置。
【請求項２】
被梱包物と外箱の側壁の間に形成した空間部を、前記被梱包物の熱交換器側に配置させたことを特徴とする請求項１に記載の梱包装置。
【発明の詳細な説明】
【技術分野】
【０００１】
本発明は、分離型空気調和機の室外機の梱包に用いられる梱包装置に関するものである。
【背景技術】
【０００２】
従来、この種の梱包装置としては、図５に示すように箱状に形成された底板２と、この底板２の内部左右に配置して被梱包物１を支持する下部緩衝材３と、被梱包物１の上部左右に被せて角隅部を衝撃等から保護する一対の上部緩衝材５と、下部を底板２の内角面と下部緩衝材３の間に挿入し、上部内面を対応する上部緩衝材５の外角面に当接させるようにした断面Ｌ字状のコーナー補強板１２を配置し、上部緩衝材５の上面に折り曲げられる内フラップ１３と外フラップ１４とを備えた外箱１４を被せてなり、外側にバンド１１を巻き付けて結束され梱包を完成させるものであった。なお、４は被梱包物１を覆う袋である（例えば、特許文献１参照）。
【特許文献１】特開２００３−２３７８７７号公報
【発明の開示】
【発明が解決しようとする課題】
【０００３】
しかしながら、前記従来の構成では、空気調和機の室内機と室外機を接続するパイプ等の付属品を同梱する際に被梱包物と付属品が接するために輸送中の振動により被梱包物の外観を傷付ける恐れがあり、別部品で付属品を収納する箱を設ける必要があるため、部品点数も多くなり高価な梱包装置となるとともに、梱包時の作業性も悪くなるなどの課題を有していた。
【０００４】
さらには、保管時の積載荷重により被梱包物の変形および外箱の胴膨れによる変形を防ぐために断面Ｌ字状の補強板を設け強度を確保する必要があるため、部品点数も多くなり高価な梱包装置となるとともに、梱包時の作業性も悪くなるなどの課題を有していた。
【０００５】
さらには、積み込み等の荷扱い中の膝当される場合などから被梱包物の背面にある熱交換器を保護するために外箱の材質をアップして強度を確保する必要があるため、高価な梱包装置となるなどの課題を有していた。
【０００６】
本発明は、前記従来の課題を解決するものであり、部品点数を増加させること無く荷扱い・保管時の外箱の破損を防ぎ、被梱包物の保護性および組み立て作業性に優れた梱包装置を提供することを目的とする。
【課題を解決するための手段】
【０００７】
前記従来の課題を解決するために、本発明の梱包装置は、四辺を折り曲げて形成したトレイ状の底板と、前記底板に被梱包物の下部を収め、下部を開放した外箱を被せ、前記底板と前記外箱の外側にバンドを巻き付けて前記被梱包物を支持する梱包装置であって、前記外箱胴部の接合部の継ぎしろの先端を前記外箱内部に延長し、中間壁を介して相対する前記外箱側壁まで延長して接合し、前記被梱包物と前記外箱の側壁の間に空間部を形成する構成とするものである。
【０００８】
これによって、梱包部品点数を増やすことなく、被梱包物に同梱される付属品を被梱包物と分離して収納することが可能となる。
【発明の効果】
【０００９】
本発明の梱包装置は、部品点数を増加させること無く荷扱い・保管時の外箱の破損を防ぎ、被梱包物の保護性および組み立て作業性に優れた梱包装置を提供することができる。
【発明を実施するための最良の形態】
【００１０】
第１の発明は、四辺を折り曲げて形成したトレイ状の底板と、前記底板に被梱包物の下部を収め、下部を開放した外箱を被せ、前記底板と前記外箱の外側にバンドを巻き付けて前記被梱包物を支持する梱包装置であって、前記外箱胴部の接合部の継ぎしろの先端を前記外箱内部に延長し、中間壁を介して相対する前記外箱側壁まで延長して接合し、前記被梱包物と前記外箱の側壁の間に空間部を形成する構造になるため、被梱包物に同梱される付属品の収納が可能となり被梱包物と付属品が分離されて梱包されるため、別部品で付属品を収納する箱を設ける必要が無く、輸送中の振動による被梱包物の外観の傷付きを防ぎ部品点数を増加させること無く保護性の向上が図れ、部品点数を削減および被梱包物の梱包作業全体を簡素化することができる。
【００１１】
さらには、外箱を形成する接合部の継ぎしろの先端を延長し中間壁をかえして、相対する側壁まで延長して接合することにより外箱が２重構成となるため、保管時の積載荷重による被梱包物の変形および外箱の胴膨れによる変形に対する強度が増し、補強板を使用する必要が無く強度を確保ことができ品質向上が図れ、部品点数を削減および被梱包物の梱包作業全体を簡素化することができる。
【００１２】
第２の発明は、特に第１の発明の壁の間に形成した空間部を、梱包物の熱交換器側に配置することにより外箱が２重構成となるため、外部からの衝撃による熱交換器破損を防止する効果を向上することができる。
【００１３】
以下、本発明の実施の形態について、図面を参照しながら説明する。なお、この実施の形態によって本発明が限定されるものではない。
【００１４】
（実施の形態１）
図１は、本発明の第１の実施の形態における梱包装置の分解斜視図、図２は、本発明の第１の実施の形態における外箱の斜視図を示すものである。
【００１５】
図１、図２において、１は被梱包物であり、本実施の形態では分離型空気調和機の室外機とする。四辺を折り曲げて形成したダンボール等からなるトレイ状の底板２に被梱包物１の下部を支持する下部緩衝材３が接着などにて固定されており、被梱包物１はこの下部緩衝材３の上に配置されてほこりなどから被梱包物１を保護する袋４が被せられ、上部には一対の上部緩衝材５を左右に配置して被梱包物１を支持し、上部の開口部の四辺に内フラップ６と外フラップ７を備え下部を開放し、箱を形成する接合部の継ぎしろ９の先端を延長し中間壁１０をかえして、外箱の外形面を形成している相対する側壁１１まで延長し接合した外箱８が被せられる。その外側にバンド１２を巻き付けて結束し梱包を完成している。
【００１６】
上記構成によって、被梱包物と外箱の側壁の間に空間部１３を形成された構造になるため、その空間部１３に空気調和機を接続するパイプ等の付属品を収納することが可能となり被梱包物と付属品が干渉されること無く分離して梱包されるため、輸送中の振動による被梱包物の外観の傷付きを防ぎ保護性の向上が図れ、別部品で付属品を収納する箱を設ける必要が無く、部品点数を増加させること無く被梱包物の梱包作業全体を簡素化することができる。さらには、継ぎしろ９の先端を延長し中間壁１３をかえして相対する側壁１１まで延長して接合することにより外箱が２重構成となるため、保管時の積載荷重による被梱包物の変形および外箱の胴膨れによる変形に対する強度が増し、部品点数を増加させること無く強度を確保することができ品質向上が図れ、被梱包物の梱包作業全体を簡素化す
ることができる。
【００１７】
（実施の形態２）
図３は、本発明の第２の実施の形態における梱包装置の分解斜視図、図４は、本発明の第２の実施の形態における外箱の平面図を示すものである。
【００１８】
図３、図４に示すように被梱包物１と外箱の側壁１１の間に形成した空間部１３を被梱包物の熱交換器１４側に配置することにより外箱が２重構成となり、積み込み等の荷扱い中に膝当されるなどの外部からの衝撃による熱交換器破損を防止する効果が得られ品質を向上することができる。
【００１９】
また、本実施の形態では複数の板紙で形成する外箱でも同様の効果が得られる。
【産業上の利用可能性】
【００２０】
以上のように、本発明にかかる梱包装置は、部品点数を増加させること無く荷扱い・保管時の外箱の破損を防ぎ、被梱包物の保護性および組み立て作業性に優れたもので、付属部品を同梱包する製品の梱包装置の用途に適している。
【図面の簡単な説明】
【００２１】
【図１】本発明の実施の形態１における梱包装置の分解斜視図
【図２】本発明の実施の形態１における外箱の斜視図
【図３】本発明の実施の形態２における梱包装置の分解斜視図
【図４】本発明の実施の形態２における外箱の平面図
【図５】従来の梱包装置の分解斜視図
【符号の説明】
【００２２】
１  被梱包物
２  底板
３  下部緩衝材
４  袋
５  上部緩衝材
６  内フラップ
７  外フラップ
８  外箱
９  継ぎしろ
１０  中間壁
１１  側壁
１２  バンド
１３  空間部
１４  熱交換器
１５  補強板
【図１】
2008030753.tif 000003
【図２】
2008030753.tif 000004
【図３】
2008030753.tif 000005
【図４】
2008030753.tif 000006
【図５】
2008030753.tif 000007